(57)【要約】【課題】スプールの前後往復動のストロークを確保しながら、リール本体内の部品に直接に衝撃が伝わらないようにリール本体の後端部を保護できるとともに、リール本体の小型化を図ることができる魚釣用スピニングリールの提供を目的としている。【解決手段】本発明の魚釣用スピニングリールでは、スプール軸９を前後に往復動させる往復動機構６５の摺動体６７がその往復動における最後端位置に位置した際に摺動体６７の一部をその内側に受け入れる開口２２が、リール本体の１ａ後端壁部１ａ’に形成されるとともに、開口２２を閉塞するようにリール本体１ａの後端壁部１ａ’を覆うカバー部材２０が設けられている。【選択図】　　図５
2004129571.tif 000002
【特許請求の範囲】
【請求項１】
ハンドルの回転を、リール本体内に設けられた往復動機構を介して、先端にスプールを有するスプール軸の前後往復動に変換する魚釣用スピニングリールにおいて、
前記往復動機構は、前記スプール軸の後端部に取り付けられ且つ前記ハンドルの回転に伴ってリール本体内で前後に往復動する摺動体を備え、
前記リール本体の後端壁部には、前記摺動体がその往復動における最後端位置に位置した際に当該摺動体の一部をその内側に受け入れる開口が形成され、
前記開口を閉塞するように前記リール本体の前記後端壁部を覆うカバー部材が設けられていることを特徴とする魚釣用スピニングリール。
【発明の詳細な説明】
【０００１】
【発明の属する技術分野】
本発明は、リール本体に装着されたハンドルの回転操作運動をスプールの前後往復動に変換するスプール往復動装置がリール本体内に設けられた魚釣用スピニングリールの改良に関する。
【０００２】
【従来の技術】
一般に、魚釣用スピニングリールは、リール本体と、リール本体から延出する脚部と、脚部の端部に形成されて釣竿に取り付けられる竿取付部とを有している。前記リール本体内には、ハンドルが固定されるハンドル軸が回転可能に支持されている。また、ハンドル軸にはドライブギアが固定されており、このドライブギアには、ハンドル軸に対して直交する方向に延び且つリール本体に回転可能に支持された管状のピニオンギアが噛合している。また、ピニオンギアの先端部にはロータが一体的に取り付けられ、ハンドル軸と直交する方向に延在するスプール軸がピニオンギアを貫通している。また、スプール軸の先端部には釣糸が巻回されるスプールが取り付けられている。スプール軸は、ピニオンギアと同心的に配されており、ハンドルからの回転力をスプール軸の前後動に変換するスプール往復動機構（オシレーティング機構）を介して、ハンドル軸と直交する方向に沿って前後動できる。
【０００３】
前記オシレーティング機構は、一般に、ハンドル軸（ドライブギア）の回転に伴ってリール本体内で前後方向に往復動する摺動体を備えており、スプール軸が前記摺動体と一体に結合されることにより、摺動体と共にスプール軸が前後に往復動し、スプール軸と共に前後動するスプールに釣糸が片寄ること無く均等に巻回される。
【０００４】
また、前記摺動体のリール本体内への組み込み性を向上させるべく、リール本体の後部に開口を形成し、この開口を通じて摺動体をリール本体の内部に対して挿脱できるようにした技術が従来から知られている（例えば、特許文献１および特許文献２参照）。
【０００５】
【特許文献１】
特公平３−８１８２号公報
【０００６】
【特許文献２】
実用新案登録第２５７２０８７号
【０００７】
【発明が解決しようとする課題】
ところで、前記特許文献１では、摺動体をリール本体に対して挿脱するための前記開口がリール本体の後端壁部の側面に形成されており、この開口を塞ぐリヤキャップがリール本体の後端壁部の上側から被せられている。すなわち、リール本体の後端壁部に重合してリヤキャップが着脱自在に取り付けられている。また、リール本体の前記後端壁部は、オシレーティング機構に関与する軸受等を支持しており、オシレーティング機構の前記摺動体の往復動における最後端位置よりも後側に位置している。つまり、この特許文献１では、摺動体の最後端位置よりも後側にリール本体の後端壁部が位置し、更に、この後端壁部の後側にこれと重合するようにリヤキャップが被さっている。そのため、リール本体の軸方向（前後方向）寸法が大きくなってしまうという問題がある。
【０００８】
一方、特許文献２では、摺動体をリール本体に対して挿脱するための前記開口がリール本体の後端壁部の後端面に形成されており、この開口を塞ぐ蓋部材が、リール本体の後端壁部の後端面と略面一となるように配置されている。このような構成では、摺動体の最後端位置よりも後側にリール本体の後端壁部が位置しているものの、リール本体の後端壁部に重合して蓋部材が設けられていないため、特許文献１に比べてリール本体の軸方向寸法をある程度抑えられるが、前記蓋部材が軸受を支持するとともに、軸受を支持しているこの蓋部材がリール本体の後端面を形成しているため、リール本体を落下させるなどして蓋部材に衝撃が加わると、蓋部材の内側にあるシャフト等の部品に衝撃がダイレクトに加わってしまい、これらの部品を曲げてしまったり、破損してしまったりする虞がある。
【０００９】
本発明は前記事情に着目してなされたものであり、その目的とするところは、スプールの前後往復動のストロークを確保しながら、リール本体内の部品に直接に衝撃が伝わらないようにリール本体の後端部を保護できるとともに、リール本体の小型化を図ることができる魚釣用スピニングリールを提供することにある。
【００１０】
【課題を解決するための手段】
前記課題を解決するために、本発明は、ハンドルの回転を、リール本体内に設けられた往復動機構を介して、先端にスプールを有するスプール軸の前後往復動に変換する魚釣用スピニングリールにおいて、前記往復動機構は、前記スプール軸の後端部に取り付けられ且つ前記ハンドルの回転に伴ってリール本体内で前後に往復動する摺動体を備え、前記リール本体の後端壁部には、前記摺動体がその往復動における最後端位置に位置した際に当該摺動体の一部をその内側に受け入れる開口が形成され、前記開口を閉塞するように前記リール本体の前記後端壁部を覆うカバー部材が設けられていることを特徴とする。
【００１１】
【発明の実施の形態】
以下、図面を参照しつつ本発明の一実施形態について説明する。
【００１２】
図１〜図５は本発明の第１の実施形態を示している。これらの図に示されるように、本実施形態の魚釣用スピニングリール１は、リール本体１ａと、リール本体１ａから延出する脚部１ｂと、脚部１ｂの端部に形成され且つ釣竿に取り付けられる竿取付部１ｃを有している。リール本体１ａ内には、スプールに釣糸を巻回するための巻取駆動機構が設けられている。具体的には、ハンドル５が固定されるハンドル軸２がリール本体１ａ内に回転可能に支持されている。ハンドル軸２にはドライブギア３が固定されており、このドライブギア３にはピニオンギア１３が噛合している。
【００１３】
ピニオンギア１３は、ハンドル軸２に対して直交する方向に延び且つリール本体１ａに軸受６０Ａ，６０Ｂを介して回転可能に支持された軸筒６２に設けられている。また、軸筒６２の先端部には、ベール６および釣糸案内部１５を備えたロータ８が一体的に取り付けられている。
【００１４】
ハンドル軸２と直交する方向に延在するスプール軸９が軸筒６２を貫通している。この場合、スプール軸９は、軸筒６２と同心的に配されており、ハンドル軸２と直交する方向に沿って前後動できる。また、スプール軸９の先端部には釣糸が巻回されるスプール１０が取り付けられている。
【００１５】
また、ハンドル軸２には、オシレーティング機構（往復動機構）６５の連動歯車６６と噛合する歯車６３が形成されている。オシレーティング機構６５は、いわゆるギヤ方式のものであり、歯車６３に噛み合ってこれと連動回転する連動歯車６６と、連動歯車６６に突設され且つ連動歯車６６の回転中心軸から偏心して位置する係合突起（係合部）６６ａと、スプール軸９の後端部にビス６９を介して取り付けられ且つ係合突起６６ａと係合するカム溝６７ａを有する摺動子（摺動体）６７と、摺動子６７と係合して摺動子６７の往復動を案内するガイドレール６８とを備えている。このようなオシレーティング機構６５は、ハンドル軸２がハンドル５の回転操作によって回転されると、ハンドル軸２上の歯車６３と噛み合う連動歯車６６が回転し、それに伴って、連動歯車６６の係合突起６６ａが回転するとともに、係合突起６６ａと係合するカム溝６７ａの案内によって摺動子６７が前後に往復動する。したがって、摺動子６７に取り付けられたスプール軸９が軸方向に沿って往復駆動（前後動）する。すなわち、この場合、係合突起６６ａとカム溝６７ａは、ハンドル軸２の回転運動をスプール軸９の直線往復運動に変換する変換手段を構成している。
【００１６】
以上の構成によれば、ハンドル５を回転操作してハンドル軸２を回転させると、オシレーティング機構６５を介してスプール軸９に取り付けられたスプール１０が前後に往復動するとともに、ドライブギア３、ピニオンギア１３、軸筒６２を介してロータ８が回転駆動する。したがって、スプール１０には、釣糸案内部１５を介して、釣糸が均等に巻回される。
【００１７】
また、本実施形態において、リール本体１ａの後端壁部１ａ’の後端面には、所定の位置に、開口２２が形成されている。この開口２２は、オシレーティング機構６５の摺動子６７がその往復動における最後端位置に位置した際（その状態が図５に示されている）に、摺動子６７の後側の一部をその内側に受け入れるように、その位置および形状が設定されている。すなわち、本実施形態においては、摺動子６７がその往復動における最後端位置に位置した際に、摺動子６７とリール本体１ａの後端壁部１ａ’とが開口２２内において軸方向（スプール軸６の長手方向）で重なり合うようになっている。また、開口２２は、更に、連動歯車６６の一部をもその内側に受け入れるように形成されている。
【００１８】
なお、開口２２は、リール本体１ａの後端壁部１ａ’を左右（軸方向に対して垂直な方向）に貫くように形成されていても良いが、本実施形態では、リール本体１ａの後端壁部１ａ’の強度を十分に確保するため、開口２２の上下に位置する後端壁部１ａ’の部位同士を繋ぐブリッジ部１ａａが開口２２の一側に設けられている。
【００１９】
また、本実施形態では、開口２２を塞ぐための有底皿状のカバー部材２０が、リール本体１ａの後端壁部１ａ’の後側から被せられている。すなわち、リール本体１ａの後端壁部１ａ’に重合してカバー部材２０が取り付けられている。この場合、カバー部材２０は、リール本体１ａの後端壁部１ａ’に形成されたネジ穴２９にネジ２４を捩じ込むことにより、後端壁部１ａ’に着脱自在に取り付けられる。
【００２０】
なお、本実施形態において、リール本体１ａの後端壁部１ａ’およびカバー部材２０は、オシレーティング機構６５に関与する軸受等を全く支持していない。また、リール本体１ａの後端壁部１ａ’には、図１に示されるように、ロータ８の逆回転（釣糸繰り出し方向の回転）を防止する逆転防止機構の切換ロッド３０の端部が貫通しており、後端壁部１ａ’から外部に突出する切換ロッド３０の端部には、切換レバー３２が取り付けられている。
【００２１】
また、図２および図３に示されるように、リール本体１ａの側部にはボディーカバー３４が取り付けられている。このボディーカバー３４は、そのボス穴３９がリール本体１ａの後端壁部１ａ’（ブリッジ部１ａａ）に形成されたボス部２７に係合されることにより、リール本体１ａに対して位置決めされ、その状態で、リール本体１ａの前側および後端壁部１ａ’にそれぞれ形成された取付穴３５，３６，４０に固定ビス２６が挿入されることより、リール本体１ａに対して固定される。
【００２２】
以上説明したように、本実施形態では、摺動子６７がその往復動における最後端位置に位置した際に摺動子６７の後側の一部をその内側に受け入れる開口２２が、リール本体１ａの後端壁部１ａ’に形成されている。すなわち、摺動子６７がその往復動における最後端位置に位置した際に、摺動子６７とリール本体１ａの後端壁部１ａ’とが開口２２内において軸方向（スプール軸６の長手方向）で重なり合うようになっている。したがって、摺動子６７と後端壁部１ａ’とが重なり合う分だけリール本体１ａの後端壁部１ａ’を前側にずらすことができるため、リール本体１ａの後端壁部１ａ’が摺動子６７の往復動における最後端位置よりも後側に位置している従来に比べ、リール本体１ａの軸方向（前後方向）寸法を短くすることができ、リール本体１ａの小型化を図ることができる。また、この場合、摺動子６７の後端側の動きを開口２２によって逃がしているだけであるため、スプール前後往復動のストロークを短くしてしまうこともない（スプール前後往復動の十分なストロークを確保することができる）。
【００２３】
また、本実施形態の魚釣用スピニングリール１には、開口２２を閉塞するようにリール本体１ａの後端壁部１ａ’を覆うカバー部材２０が設けられている。したがって、リールを落下させるなどしてカバー部材２０に衝撃が加わっても、その衝撃はカバー部材２０によって吸収されるため、リール本体１ａの内側にある部品に衝撃がダイレクトに加わってしまうことがなく、前記部品の破損を防止することができる。すなわち、リール本体１ａをコンパクトにしながら、適度な空間を保ってカバー部材２０を取り付けることができ、カバー部材２０によってリール本体１ａの後端部を保護できる。
【００２４】
このように、本実施形態によれば、摺動子の最後端位置よりも後側にリール本体の後端壁部が位置し且つこの後端壁部の後側にこれと重合するようにリヤキャップが被さっている特許文献１よりもリールの軸方向寸法を抑えることができるだけでなく、後端壁部の後側にリヤキャップが重合していない特許文献２と同等またはそれ以下に軸方向寸法を抑えながら、リール本体の後端部に作用する衝撃を緩和することができる。
【００２５】
図６〜図１２は本発明の第２の実施形態を示している。なお、本実施形態において、第１の実施形態と共通する構成部分については、以下、同一符号を付してその説明を省略する。
【００２６】
図６〜図１２に示されるように、本実施形態の魚釣用スピニングリール１Ａのオシレーティング機構６５Ａは、スプール軸９と平行に配置され且つ軸受部５０を介してリール本体１ａに回転可能に支持されたトラバースカム軸（ウォームシャフト）５２と、スプール軸９の後端に止めネジ９０によって固定され且つトラバースカム軸５２のカム溝５９に沿って前後方向に摺動する摺動体５４とを備えている。トラバースカム軸５２は、ギヤ５６を介してピニオン１３に連結されており、一方、摺動体５４には、トラバースカム軸５２に常時係合する係合ピン５８が設けられている。なお、軸受部５０は、トラバースカム軸５２を軸支しながら、トラバースカム軸５２の端部を軸方向規制する。
【００２７】
このようなオシレーティング機構６５Ａによれば、ハンドル５の回転操作によって駆動歯車３を介してピニオン１３を回転させると、このピニオン１３に噛合したギヤ５６が回転し、このギヤ５６の回転と共にトラバースカム軸５２が回転する。この時、トラバースカム軸５２のカム溝５９に係合した係合ピン５８がトラバースカム軸５２の回転に伴って前後動することにより、摺動体５４がトラバースカム軸５２に沿って前後動する。この結果、この摺動体５４に止めネジ９０を介して連結しているスプール軸９を前後動させることができる。
【００２８】
また、図９〜図１２に明確に示されるように、摺動体５４は、止めネジ９０を介してスプール軸９に取り付けられるスプール軸取付部５４Ａと、係合ピン５８を介してトラバースカム軸５２に取り付けられるトラバースカム軸取付部５４Ｂとから成り、これらの取付部５４Ａ，５４Ｂはスプール軸９の軸方向で互いにオフセットされている。具体的には、スプール軸取付部５４Ａがトラバースカム軸取付部５４Ｂよりも軸方向後側に位置している。
【００２９】
また、本実施形態においも、第１の実施形態と同様、リール本体１ａの後端壁部１ａ’の後端面には、所定の位置に、開口２２が形成されている。この開口２２は、オシレーティング機構６５Ａの摺動体５４がその往復動における最後端位置に位置した際（その状態が図１１および図１２に示されている）に、摺動体５４の後側の一部（本実施形態では、スプール軸取付部５４Ａ）をその内側に受け入れるように、その位置および形状が設定されている。すなわち、本実施形態においては、摺動体５４がその往復動における最後端位置に位置した際に、摺動体５４（スプール軸取付部５４Ａ）とリール本体１ａの後端壁部１ａ’とが開口２２内において軸方向（スプール軸６の長手方向）で重なり合うようになっている。
【００３０】
以上説明したように、本実施形態においても、摺動体５４がその往復動における最後端位置に位置した際に摺動体５４の後側の一部をその内側に受け入れる開口２２が、リール本体１ａの後端壁部１ａ’に形成されているとともに、開口２２を閉塞するようにリール本体１ａの後端壁部１ａ’を覆うカバー部材２０が設けられている。したがって、第１の実施形態と同様の作用効果を得ることができる。
【００３１】
また、本実施形態では、摺動体５４のスプール軸取付部５４Ａがトラバースカム軸取付部５４Ｂよりも軸方向後側にオフセットして位置している。このように、トラバースカム軸取付部５４Ｂを前方側に位置させれば、トラバースカム軸取付部５４Ｂが係合するトラバースカム軸５２を前方側に寄せることができるため、トラバースカム軸５２を支持する軸受部５０も前方にずらすことができる。したがって、軸受部５０を支持するリール本体１ａの後端壁部１ａ’をより効果的に前方側にずらすことができ、リール本体１ａの軸方向（前後方向）寸法の短縮を更に促進させることができる。また、このように、スプール軸取付部５４Ａをトラバースカム軸取付部５４Ｂよりも軸方向後側にオフセットして位置させれば、トラバースカム軸取付部５４Ｂを前方側に寄せても、スプール軸取付部５４Ａとピニオン１３との干渉によって摺動体５４のストロークが規制されることもないため、ロングストロークのトラバースカム軸５２を組み込みつつ、リール本体１ａの軸方向寸法を短くすることが可能になる。
【００３２】
【発明の効果】
以上説明したように、本発明の魚釣用スピニングリールによれば、スプールの前後往復動のストロークを確保しながら、リール本体内の部品に直接に衝撃が伝わらないようにリール本体の後端部を保護できるとともに、リール本体の小型化を図ることができる。
【図面の簡単な説明】
【図１】本発明の第１の実施形態に係る魚釣用スピニングリールの側断面図である。
【図２】図１のＡ−Ａ線に沿う断面図である。
【図３】図２の要部拡大断面図である。
【図４】図１の要部拡大断面図であり、摺動体がその往復動における最前端位置に位置した状態を示す図である。
【図５】図１の要部拡大断面図であり、摺動体がその往復動における最後端位置に位置した状態を示す図である。
【図６】本発明の第２の実施形態に係る魚釣用スピニングリールの側断面図である。
【図７】図１のＢ−Ｂ線に沿う断面図である。
【図８】図７の要部拡大断面図である。
【図９】図８のＣ−Ｃ線に沿う断面図であり、摺動体がその往復動における最前端位置に位置した状態を示す図である。
【図１０】図８のＤＥＦＧ線に沿う断面図であり、摺動体がその往復動における最前端位置に位置した状態を示す図である。
【図１１】図８のＣ−Ｃ線に沿う断面図であり、摺動体がその往復動における最後端位置に位置した状態を示す図である。
【図１２】図８のＤＥＦＧ線に沿う断面図であり、摺動体がその往復動における最後端位置に位置した状態を示す図である。
【符号の説明】
１…魚釣用スピニングリール
１ａ…リール本体
１ａ’…後端壁部
３…駆動歯車
５…ハンドル
９…スプール軸
１０…スプール
２０…カバー部材
２２…開口
５４，６７…摺動体
６５…オシレーティング機構（往復動機構）
【図１】
2004129571.tif 000003
【図２】
2004129571.tif 000004
【図３】
2004129571.tif 000005
【図４】
2004129571.tif 000006
【図５】
2004129571.tif 000007
【図６】
2004129571.tif 000008
【図７】
2004129571.tif 000009
【図８】
2004129571.tif 000010
【図９】
2004129571.tif 000011
【図１０】
2004129571.tif 000012
【図１１】
2004129571.tif 000013
【図１２】
2004129571.tif 000014